(57)【要約】【課題】表示されたアイコンの機能の種別を直感的に容易に判別できるような態様でアイコンを表示する制御を可能にする。【解決手段】端末装置は、アイコンに対応付けられた各種の機能と、アイコンとを関連付けたアイコン管理情報と、機能の種別に応じたアイコンの表示部での動的表示態様を機能の種別に関連付けた表示態様情報とを記憶する記憶部から、アイコン管理情報と表示態様情報とを読み出す読出部と、表示部へのアイコン表示を制御する表示制御部と、表示の際のアイコンの動的表示態様を決定する表示態様決定部とを備え、表示制御部は、表示対象となるアイコンを指定し、表示態様決定部に通知し、該表示態様決定部で決定された動的表示態様に基づきアイコンを表示する制御を行い、表示態様決定部は、通知されたアイコンについて、アイコン管理情報と表示態様情報とに基づき、動的表示態様を決定し、前記表示制御部に通知する。【選択図】図１
2013182537.tif 000002
【特許請求の範囲】
【請求項１】
アイコンを表示部に表示させる表示制御部と、
アプリケーション、コンテンツ及び新着情報の通知機能の少なくともいずれかを含む各種の機能と、前記アイコンの属性情報である前記機能の種別とを前記アイコンと関連付けた情報であるアイコン関連付け情報を、1以上の前記アイコンに対して備えるアイコン管理情報と、前記アイコンに対応付けられた前記各種の機能のいずれかに関連付けられた前記アイコンの、前記表示部での表示の際の前記機能の種別に応じた動きを規定する動的表示態様を前記機能の種別に関連付けた情報である表示態様情報とを記憶する記憶部から、前記アイコン管理情報及び前記表示態様情報を読み出す読出部と、
前記表示部への表示の対象となる対象アイコンの動的表示態様を決定する表示態様決定部と、
を備え、
前記表示態様決定部は、前記対象アイコンについて、前記アイコン管理情報と前記表示態様情報とに基づき、その動的表示態様を決定し、
前記表示制御部は、決定された前記動的表示態様に基づき前記対象アイコンを前記表示部に表示する制御を行う、  
ことを特徴とする端末装置。
【請求項２】
前記アイコン管理情報は、前記アイコンに関連付けられた該アイコンの他の属性情報を含み、
前記読出部は、前記他の属性情報に関する基準である属性関連基準に関連付けられた第２の動的表示態様の情報を第２の表示態様情報として記憶する記憶部から、前記第２の表示態様情報を読み出し、
前記表示態様決定部は、前記他の属性情報と、前記第２の表示態様情報とに基づき、前記対象アイコンの前記表示部での表示の際の第２の動的表示態様を決定し、
前記表示制御部は、前記動的表示態様による表示の制御の後、前記第２の動的表示態様を前記動的表示態様として前記表示部に前記アイコンを表示する制御を行う、
ことを特徴とする請求項１に記載の端末装置。
【請求項３】
前記他の属性情報は、前記アイコンの利用の回数に関する情報である利用状況情報であり、
前記属性関連基準は、前記利用の回数に関する基準である、
ことを特徴とする請求項２に記載の端末装置。
【請求項４】
前記表示部に表示されたアイコンを選択し、選択された該アイコンに対応付けられた機能に関して新規の情報の取得又は情報の削除を指示する入力部と、
前記新規の情報を受信する通信部と、
前記新規の情報の取得の指示がある場合の取得の進捗状況、及び情報の削除の指示がある場合の削除の進捗状況を監視し、所定のタイミングで進捗状況の情報として取得する状況監視部と、を備え、
前記読出部は、前記進捗状況の情報を反映できる第３の動的表示態様の情報を第３の表示態様情報として記憶する記憶部から前記第３の表示態様情報を読み出し、
前記表示態様決定部は、前記取得又は削除の指示があったときは、前記選択されたアイコンに対して、前記第３の表示態様情報に基づき、前記第３の動的表示態様を決定し、
前記表示制御部は、前記所定のタイミングで取得された前記進捗状況の情報を反映して、決定された前記第３の動的表示態様を前記動的表示態様として、前記選択されたアイコンを前記表示部に表示する制御を行う、
ことを特徴とする請求項１に記載の端末装置。
【請求項５】
外部との通信を行う通信部と、  
前記通信部からの前記新規の情報の取得の有無を監視し、前記新規の情報の取得がある場合に、前記新規の情報の取得を開始した旨を通知する状況監視部と、
前記状況監視部から前記新規の情報の取得を開始した旨の通知を受けて、前記新規の情報に対応する新規アイコンを生成して、該新規アイコンを前記表示制御部に通知するアイコン生成部と、
を更に備え、
前記表示制御部は、生成された前記新規アイコンの通知を受けて、該新規アイコンを前記対象アイコンとして指定し、前記表示態様決定部に通知し、
前記表示態様情報は、前記アイコンが前記新規アイコンである場合の動的表示態様を新規動的表示態様として含み、
前記表示態様決定部は、前記新規アイコンと、前記表示態様情報とに基づき前記新規動的表示態様を前記動的表示態様として決定する、
ことを特徴とする請求項１に記載の端末装置。
【請求項６】
前記状況監視部は、更に前記新規の情報の取得の進捗状況を監視し、所定のタイミング毎に取得の進捗状況の情報を取得し、前記表示制御部に通知し、
前記新規動的表示態様は前記取得の進捗状況の情報を反映可能な動的表示態様であり、
前記表示態様決定部は、前記対象アイコンが前記新規アイコンである場合、前記新規動的表示態様を前記動的表示態様として決定し、
前記表示制御部は、決定された前記動的表示態様に従って、前記取得の進捗状況を反映した前記動的表示態様で前記新規アイコンを前記表示部に表示する制御を行う、
ことを特徴とする請求項５に記載の端末装置。
【請求項７】
前記表示部における前記対象アイコンの表示位置を、前記アイコン管理情報に基づき決定する表示位置決定部を備え、
前記表示制御部は、決定された前記表示位置に従って前記対象アイコンを表示する、
ことを特徴とする請求項１乃至６のいずれか１項に記載の端末装置。
【請求項８】
前記表示部に前記対象アイコンを表示して構成されるアイコンメニューのうち、前記アイコン管理情報に含まれる前記アイコンの中の少なくとも１つの特定のアイコンを前記対象アイコンとした簡単メニューを縮小表示する指示及びこれを解除する指示を入力する入力部を備え、
前記読出部は、前記簡単メニューで表示される前記対象アイコンである簡単メニューアイコンを示す情報である簡単メニュー情報を記憶する記憶部から、前記簡単メニュー情報を読み出し、
前記表示位置決定部は、前記表示制御部から、前記簡単メニューアイコンの位置を決定するための指示である簡単メニュー位置決定指示を受けて、前記簡単メニュー情報に基づき、前記簡単メニューアイコンの表示位置を簡単メニュー表示位置として決定し、前記表示制御部から前記簡単メニューを縮小した縮小簡単メニューを表示する際の前記簡単メニューアイコンの表示位置を決定するための指示である縮小簡単メニュー位置決定指示を受けて、前記表示部の画面上の一部領域に、前記簡単メニュー情報に基づき、前記簡単メニューアイコンの表示位置を縮小簡単メニュー表示位置として決定するとともに、前記画面上の前記一部領域を除く領域に、前記アイコン管理情報に基づき、該アイコン管理情報に含まれる前記アイコンを対象アイコンとして、該対象アイコンの表示位置をメインメニュー表示位置として決定し、
前記表示制御部は、予め決められた基準に従い、前記表示位置決定部に簡単メニュー位置決定指示を出すとともに、前記表示態様決定部に、前記対象アイコンとして前記簡単メニュー情報を通知し、決定された前記簡単メニュー表示位置と、前記簡単メニューアイコンについて決定された前記動的表示態様に従って前記対象アイコンを前記表示部に表示する制御を行い、前記入力部から前記縮小表示する指示が入力されたとき、これを受けて前記表示位置決定部に前記縮小簡単メニュー位置決定指示を出すとともに、前記表示態様決定部に、前記アイコン管理情報に含まれるアイコンを対象アイコンとする旨の通知である縮小時対象アイコン通知を行い、これまでの表示に替えて、前記簡単メニューアイコンを、予め設定された縮小アイコンに変えて、決定された前記縮小簡単メニュー表示位置に表示する制御を行うとともに、前記アイコン管理情報に含まれる前記アイコンを、前記対象アイコンとして、決定された前記メインメニュー表示位置に、前記縮小時対象アイコン通知に応じて決定された前記動的表示態様で表示する制御を行い、前記入力部から前記解除する指示が入力されたとき、これまでの表示に替えて、前記簡単メニュー対象アイコンを、決定された前記簡単メニュー表示位置に、決定された前記動的表示態様で表示する制御を行う、
ことを特徴とする請求項７に記載の端末装置。
【請求項９】
アイコンを表示部に表示する端末装置のアイコン表示方法において、
アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、
前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、
読み出した前記アイコン管理情報と前記表示態様情報とに基づき、表示対象となる対象アイコンに対する動的表示態様を決定する表示態様決定ステップと、
決定された前記動的表示態様で前記表示部に前記対象アイコンを表示する制御を行う表示制御ステップと、
を備えることを特徴とする端末装置のアイコン表示方法。
【請求項１０】
アイコンを表示部に表示するコンピュータとしての端末装置に、
アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、
前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、
読み出した前記アイコン管理情報と前記表示態様情報とに基づき、表示対象となる対象アイコンに対する動的表示態様を決定する表示態様決定ステップと、
決定された前記動的表示態様で前記表示部に前記対象アイコンを表示する制御を行う表示制御ステップと、
を実行させることを特徴とする端末装置のアイコン表示プログラム。
【発明の詳細な説明】
【技術分野】
【０００１】
本発明は、表示部にアイコンを表示する端末装置、端末装置の表示部にアイコンを表示するためのアイコン表示方法、及び端末装置の表示部にアイコンを表示するためのアイコン表示プログラムに関する。
【背景技術】
【０００２】
多くの端末装置のユーザインタフェースでは表示部に複数のアイコンを表示して、アプリケーションやコンテンツ等の情報をメニュー（アイコンメニュー）としてユーザに提示している。
【０００３】
アイコンは各種の機能に対応付けられている。アイコンの機能の種別には、例えばアプリケーション（プログラム等）、コンテンツ（動画、静止画などの画像、楽曲、書籍などを含む文書等）、新着情報の通知等が含まれる。アプリケーションに対応するアイコンはアプリケーションそのものを示すアイコン、コンテンツに対応するアイコンはコンテンツそのものを示すアイコンである。また、新着情報の通知に対応するアイコンは、新着情報があったことをユーザに知らせるためのアイコンで、例えば着信があったこと、メールがあったこと、新着ニュースがあったことなどをそれぞれ異なったアイコンで示す。
【０００４】
アイコンメニューについては表示されたアイコンの機能をユーザが直感的に判別でき、アイコンの操作を容易にすることができるように様々な工夫が行われている。
【０００５】
特許文献１には、アイコンの機能の種別とその内容を示す図柄で３次元的に表示されたアイコンが示されている。更に、表示されたアイコンからいずれかのアイコンが選択された場合、選択されたアイコンの表裏を反転させて移動するアニメーションが表示部に表示され、最終的に表裏を反転された状態で拡大表示されることが示されている。このとき拡大表示されたアイコン上には新たなアイコンが表示される。拡大表示されるアイコンに隠れてしまう他のアイコンは隠れない位置に表示位置が移動する。
【先行技術文献】
【特許文献】
【０００６】
【特許文献１】特開２００４−２１５２２号公報
【発明の概要】
【発明が解決しようとする課題】
【０００７】
特許文献１に記載の発明では、各アイコンはその機能の種別とその内容を示す図柄で構成され、その中の一つのアイコンが選択される前は、そのように構成された複数のアイコンが表示部の画面上に単に配置されてユーザに示されているだけであり、特許文献１に記載の発明は、ユーザが、アイコンの機能の種別を直感的に容易に判別するという点では必ずしも十分なものではない。
【０００８】
本発明は、上記の事情に鑑みてなされたものであり、ユーザがアイコンの機能の種別を直感的に容易に判別することができるようにアイコンを表示部に表示する制御を行う端末装置、端末装置のアイコン表示方法、及び端末装置のアイコン表示プログラムを提供することを目的とする。
【課題を解決するための手段】
【０００９】
前記の目的を達成するために、本願発明の第１の観点に係る端末装置は、アイコンを表示部に表示させる表示制御部と、アプリケーション、コンテンツ及び新着情報の通知機能の少なくともいずれかを含む各種の機能と、前記アイコンの属性情報である前記機能の種別とを前記アイコンと関連付けた情報であるアイコン関連付け情報を、1以上の前記アイコンに対して備えるアイコン管理情報と、前記アイコンに対応付けられた前記各種の機能のいずれかに関連付けられた前記アイコンの、前記表示部での表示の際の前記機能の種別に応じた動きを規定する動的表示態様を前記機能の種別に関連付けた情報である表示態様情報とを記憶する記憶部から、前記アイコン管理情報及び前記表示態様情報を読み出す読出部と、表示部へのアイコン表示を制御する表示制御部と、表示の対象となる対象アイコンの動的表示態様を決定する表示態様決定部とを含む制御部と、を備え、前記表示態様決定部は、前記対象アイコンについて、前記アイコン管理情報と前記表示態様情報とに基づき、その動的表示態様を決定し、前記表示制御部は、決定された前記動的表示態様に基づき前記対象アイコンを前記表示部に表示する制御を行う、ことを特徴とする。
【００１０】
本願発明の第２の観点に係る端末装置のアイコン表示方法は、アイコンを表示部に表示する端末装置のアイコン表示方法において、アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、読み出した前記アイコン管理情報と前記表示態様情報とに基づき、表示対象となる対象アイコンに対する動的表示態様を決定する表示態様決定ステップと、決定された前記動的表示態様で前記表示部に前記対象アイコンを表示する制御を行う表示制御ステップと、を備えることを特徴とする。
【００１１】
本願発明の第３の観点に係る端末装置のアイコン表示プログラムは、アイコンを表示部に表示するコンピュータとしての端末装置に、アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、読み出した前記アイコン管理情報と前記表示態様情報とに基づき、表示対象となる対象アイコンに対する動的表示態様を決定する表示態様決定ステップと、決定された前記動的表示態様で前記表示部に前記対象アイコンを表示する制御を行う表示制御ステップと、を実行させることを特徴とする。
【発明の効果】
【００１２】
本発明によれば、ユーザがアイコンの機能の種別を直感的に容易に判別することができるようにアイコンを表示部に表示する制御を行う端末装置、端末装置のアイコン表示方法、及び端末装置のアイコン表示プログラムを提供することができる。
【図面の簡単な説明】
【００１３】
【図１】本発明の実施形態１に係る端末装置の構成例を示すブロック図である。
【図２】アイコン管理情報の例を示す図である。
【図３】表示態様情報の例を示す図である。
【図４】実施形態１に係るアイコンの動的表示態様の具体例を示す図である。
【図５】実施形態１に係るアイコン表示方法Ａを示すフロー図である。
【図６】本発明の実施形態２に係る端末装置の構成例を示すブロック図である。
【図７】実施形態２に係る第２の表示態様情報の例を示す図である。
【図８】実施形態２に係るアイコン表示方法Ｂを示すフロー図である。
【図９】本発明の実施形態３に係る端末装置の構成例を示すブロック図である。
【図１０】実施形態３に係るアイコン表示方法Ｃを示すフロー図である。
【図１１】本発明の実施形態４に係るアイコン表示方法Ｄを示すフロー図である。
【図１２】本発明の実施形態５に係る端末装置の構成例を示すブロック図である。
【図１３】実施形態５に係るアイコン表示方法Ｅを示すフロー図である。
【図１４】本発明の実施形態６に係る端末装置の構成例を示すブロック図である。
【図１５】実施形態６に係るアイコン表示方法Ｆを示すフロー図である。
【図１６】本発明の実施形態７に係る端末装置の構成例を示すブロック図である。
【図１７】実施形態７に係るアイコンメニューの表示例を示す図である。
【図１８】実施形態７に係る簡単メニュー表示と縮小簡単メニュー表示の例を示す図である。
【図１９】実施形態７に係るアイコン表示方法Ｇを示すフロー図である。
【図２０】各実施形態に係る端末装置のハードウェア構成例を示す図である。
【発明を実施するための形態】
【００１４】
（実施形態１）
図１に本発明の実施形態１に係る端末装置１の構成例を示す。端末装置１は読出部１０と表示態様決定部１１と表示制御部１２とを備える。図１には端末装置１の動作に関連する装置として、表示部２及び記憶部３も示している。図１では端末装置１は表示部２と記憶部３とを含んでいないが、これらを含む形で構成されてもよい。
【００１５】
端末装置１は、ユーザが直接使用する装置で、携帯電話端末や、PC（Personal Computer）を含む各種のコンピュータ等を云う。
【００１６】
端末装置１は、図示を省略した制御部を有し、制御部は、ＣＰＵ（Central Processing Unit）、プログラムの記憶やプログラム実行時の処理に使用する内部メモリ（ＲＯＭ（Read Only Memory）、RAM（Random Access Memory）、各種のキャッシュメモリ等）とで構成され、端末装置１の動作を制御する。
【００１７】
表示部２は、ブラウン管、液晶ディスプレイ、プラズマディスプレイ、有機ＥＬ（Electro-Luminescence）ディスプレイ等の各種のディスプレイ装置の少なくとも一つで構成され、その画面上に、アイコンを含む各種情報を表示する。
【００１８】
記憶部３は、磁気ディスク装置、光ディスク装置、半導体メモリ装置などの各種メモリ装置の少なくとも一つで構成され、アイコン管理情報３０と表示態様情報３１とを記憶する。
【００１９】
アイコン管理情報３０は端末装置１で使用される各アイコンについて、アイコンに対応付けられた機能と、この機能の種別とを、アイコンと関連付けて、使用される全てのアイコンについてまとめた情報である。
【００２０】
図２にアイコン管理情報３０のいくつかの例を示す。実施形態１に関連するアイコン管理情報３０の例は図２（ａ）にアイコン管理情報Ａとして表の形で示されている。表中、アイコンの欄にＡ、Ｂ、Ｃ等で表されているのはアイコンの図柄を示す。対応付けられた機能の欄にＦｎａ、Ｆｎｂ、等で表されているのは各アイコンに対応付けられた個々のアプリケーション（ルート案内（電車）アプリケーション、ルート案内（車）アプリケーション、電子書籍アプリケーション、ゲームａ、ｂ、ｃ等）、コンテンツ（画像ａ、ｂ、地図、電子書籍ａ、ｂ、ｃ、）、新規情報（又は新着情報）の通知（着信有り、メール有り等）等の機能を示す。機能の種別の欄にＣＬ１、ＣＬ２、ＣＬ３等で表されているのは後述する表示態様情報３１における動的表示態様と関連付けるための分類情報である。例えば電子書籍アプリケーションや電子書籍コンテンツの機能の種別を電子書籍とし、ゲームａ、ｂ、ｃの機能の種別をゲームとし、ルート案内（電車）、ルート案内（車）の機能の種別をルート案内とし、着信有りとメール有りの機能の種別を新着とする例が考えられる。このような分類の仕方は任意に設定でき、後述する動的表示態様を決めるための便宜的なものである。機能の種別はアイコンの属性の一種と位置付けることができる。
【００２１】
表示態様情報３１は、機能の種別と、アイコンを表示部２の画面上に動的に表示する際の表示態様を示す動的表示態様とを関連付けたものである。この動的表示態様は、機能の種別に応じた動きを規定する。図３に表示態様情報３１のいくつかの例を示す。実施形態１に関連する表示態様情報３１の例は図３（ａ）に表示態様情報Ａとして表の形で示されている。表中、機能の種別の欄にＣＬ１、ＣＬ２、ＣＬ３等で表されているのは図２（ａ）のアイコン管理情報Ａの機能の種別の欄に記載したＣＬ１、ＣＬ２、ＣＬ３等と対応しており、ＣＬ１、ＣＬ２、ＣＬ３等とそれぞれ関連付けられた動的表示態様はＤＳ１、ＤＳ２、ＤＳ３等として示されている。ＤＳ１、ＤＳ２、ＤＳ３等は、具体的には、アイコンの表示画面上での動きを記載するプログラムを指定する内容である。
【００２２】
読出部１０は、記憶部３に記憶されているアイコン管理情報３０と表示態様情報３１とを読み出す。
【００２３】
表示態様決定部１１は、表示制御部１２の指示により、アイコン管理情報３０と表示態様情報３１とに基づき、表示部２の画面上にアイコンを動的に表示する際の態様である動的表示態様を決定する。
【００２４】
表示制御部１２は、読出部１０が記憶部３から読み出したアイコン管理情報３０に基づき、表示部２に表示するアイコン（対象アイコン）を指定し、表示態様決定部１１に通知し、その対象アイコンに対して表示態様決定部１１で決定された動的表示態様に従って、対象アイコンを表示部２の画面上に表示する制御を行う。
【００２５】
図４に実施形態１に係るアイコンの動的表示態様の具体例を示す。これは、表示部２の画面２０上にアイコンを表示する際のアイコンの機能の種別に応じた動的表示態様の具体例である。図４のα、β、γはそれぞれ異なる種別のアイコンを示し、各アイコンの上方に示す線図はそれぞれのアイコンの動的表示態様を模式的に示したものである。アイコンαは機能の種別が例えば新着情報の通知に対応するアイコンであり、アイコンαは画面２０上に表示される際に稲妻のように鋭く鋭角的に落ちて来るような動きの動的表示態様で所定の位置に表示される。アイコンβは機能の種別が例えば画像に対応するアイコンであり、アイコンβは画面２０上に表示される際に紙や葉が舞い落ちるような動きの動的表示態様で所定の位置に表示される。アイコンγは機能の種別が例えばゲームに対応するアイコンであり、アイコンγは画面２０上に表示される際に物体が弾むような動きの動的表示態様で所定の位置に表示される。
【００２６】
その他にも下記のような動的表示態様が考えられる。例えばルート案内アプリケーションに対応するアイコンの場合、アイコンを乗り物、例えば電車や車などを前方から見た図柄とし、この乗り物が画面２０上の奥から全面に移動してくるような動的表示態様とする。電子書籍アプリケーションや電子書籍コンテンツに対応するアイコンの場合、紙が重なって行って表紙・裏表紙がついて本が完成するような動的表示態様とする。ホラー映画やホラー関連ゲーム、アクション映画やアクション関連ゲームに対応するアイコンの場合、アイコンが怒りや恐怖でふるえるような動的表示態様とする、画像に対応するアイコンの場合の他の動的表示態様としてアイコンの色がだんだんに濃くなる態様にする。例えばルート案内アプリケーションに対応するアイコンの場合の他の動的表示態様として、アイコンを乗り物、例えば電車や車などを横方向から見た図柄とし、この乗り物が画面２０上の横から移動して所定の表示位置で止まるような動的表示態様とする。表示態様の記載がブランクのアイコンについては直線的に落下してくる動的表示態様とする。
【００２７】
このようにアイコンの動的表示態様をアイコンの機能の種別に応じた動的表示態様とすることにより、ユーザは、そのアイコンの動的表示態様からアイコンの機能の種別を直感的に容易に把握できる。
【００２８】
次に、実施形態１に係る端末装置１のアイコン表示の動作について図５に従って説明する。図５はアイコンの表示方法Ａをフロー図で示したものである。端末装置１は、アイコンの表示処理を開始し、読出部１０は、記憶部３からアイコン管理情報３０と表示態様情報３１とを読み出す（ステップＳ１）。
【００２９】
表示制御部１２は記憶部３から読み出したアイコン管理情報３０に基づき、表示部２に表示するアイコン（対象アイコン）を指定し、表示態様決定部１１に通知する（ステップＳ２）。
【００３０】
表示態様決定部１１は、通知された対象アイコンの機能の種別をアイコン管理情報３０から取得する。次に表示態様決定部１１は、記憶部３から読み出された表示態様情報３１に基づき、取得した機能の種別に関連付けられた動的表示態様を取得し決定する（ステップＳ３）。
【００３１】
表示制御部１２は、決定された動的表示態様に従って、表示部２の画面２０上に対象アイコンを表示する制御を行う（ステップＳ４）。その結果表示部２の画面２０上に対象アイコンが決定された動的表示態様で表示される。
【００３２】
表示制御部１２は対象アイコンの全ての表示の制御が完了したかどうかを判断し（ステップＳ５）、完了していれば（ステップＳ５；ＹＥＳ）アイコンの表示処理を終了し、完了していなければ（ステップＳ５；ＮＯ）ステップＳ２に戻る。
【００３３】
なお、表示態様情報３１は、動的表示態様に関連付けた音声態様を含んでも良い。図３（ｃ）にその具体例を示す。
【００３４】
表示態様情報３１が音声態様を含むときの端末装置１の構成は図１に音声部を加えたものとする。表示態様決定部１１は表示態様情報３１に基づき、対象アイコンの動的表示態様と共に音声態様も決定し、表示制御部１２は、決定された動的表示態様で対象アイコンを表示部２に表示すると共に、決定された音声態様で音声部を制御する。
【００３５】
上記の説明では対象アイコンはアイコン管理情報３０から取得するとした。この場合は、アイコン管理情報３０に含まれる全てのアイコンが表示の対象となるが、これを必ずしも１画面に表示する必要はなく、複数の画面（ページ）に分けて表示してもよい。
【００３６】
なお、対象アイコンを必ずしもアイコン管理情報３０から取得する必要はない。他の選定基準で対象アイコンを決めて、機能の種別をアイコン管理情報３０に基づき抽出しても良い。この他の選定基準については後述する他の実施形態で説明する。また、対象アイコンの表示位置についても後述の他の実施形態で説明する。更に、対象アイコンを表示制御部１２で指定せずに、表示態様決定部１１で指定しても良い。
【００３７】
実施形態１に係る発明によれば、アイコンは、そのアイコンの機能の種別に応じた動的表示態様で表示部２の画面２０上に表示されるように制御される。ユーザはこの表示制御による表示により、表示部２に表示されたアイコンの機能の種別を直感的に容易に判別することができる。そのため、ユーザは、操作対象としたいアイコンを容易に選択することができるようになり、スムーズなアイコン操作を行うことができる。
【００３８】
また、音声態様を含めた場合は、ユーザは視覚情報とともに聴覚情報を含めてアイコンの機能の種別を直感的に容易に判別することができる。そのため、ユーザは、操作対象としたいアイコンをより容易に選択することができるようになり、スムーズなアイコン操作を行うことができる。
【００３９】
（実施形態２）
図６に本発明の実施形態２に係る端末装置１の構成例を示す。図６において図１と異なる点は、端末装置１がアイコン利用状況監視部１３を備えること、記憶部３に第２の表示態様情報３２が記憶されていること、及びアイコン管理情報３０の構成が一部異なることである。以下ではこの相違点を中心に他の相違点を含めて説明する。図１と同じ番号を付した構成要素は以下で特に説明しない場合は実施形態１での説明と同じ内容・機能を有する。
【００４０】
アイコン利用状況監視部１３は、アイコンの利用状況を監視し、取得したアイコンの利用情報に基づき、アイコン管理情報３０の内容を更新し、記憶部３に格納する制御を行う。
【００４１】
アイコン管理情報３０はアイコンの機能の種別とは異なる他の属性情報をアイコンと関連付けて保有する。図２（ｂ）に実施形態２に係るアイコン管理情報３０の例をアイコン管理情報Ｂとして示す。ここでは他の属性情報としてアイコンの利用状況に関する情報を利用状況情報として示している。利用状況情報の欄にＦｒａ、Ｆｒｂ等として示しているのが利用状況情報である。
【００４２】
利用状況情報とは、例えばアイコンの利用回数であり、アイコンの一定期間内の利用回数又は利用頻度としても良い。
【００４３】
第２の表示態様情報３２は、実施形態１で説明したアイコンの動的表示態様とは別の第２の動的表示態様を規定する情報で、他の属性情報に関する基準と第２の動的表示態様とを関連付けた情報である。
【００４４】
図７に第２の表示態様情報３２のいくつかの例を示す。実施形態２に係る第２の表示態様情報３２の例は、図７（ａ）の第２の表示態様情報Ａとして示されている。図７（ａ）に示す他の属性情報に関する基準は、他の属性情報を利用状況情報としたときの他の属性情報に関する基準の例である。他の属性情報に関する基準に記載されたＦｒは図２（ｂ）の利用状況情報のＦｒａ、Ｆｒｂ、Ｆｒｃ等を総称するものとして使用されている。他の属性情報に関する基準は例えばこのＦｒが０であるか、閾値Ｔｈよりも大きいかどうかというものであり、この各基準に関連付けて第２の動的表示態様をそれぞれＤＳ２１、ＤＳ２２として規定している。
【００４５】
第２の動的表示態様の具体例としては、例えば対象アイコンを振動させる、発光させる等の態様が考えられる。振動や発光の程度又は振動や発光の周期を変化させて第２の動的表示態様を区別して利用状況関連情報と関連付けてもよい。
【００４６】
表示態様決定部１１は、表示制御部１２から指示された対象アイコンについて、実施形態１に従って、動的表示態様を決定すると共に、読出部１０が記憶部３から読み出した第２の表示態様情報３２と、アイコン管理情報３０に含まれる利用状況情報Ｆｒａ、Ｆｒｂ等とに基づき、第２の動的表示態様を決定する。
【００４７】
表示制御部１２は、表示態様決定部１１で決定された動的表示態様に従ってその対象アイコンを表示部２に表示する制御を行うと共に、その制御の後、決定された第２の動的表示態様に従ってその対象アイコンを表示部２に表示する制御を行う。
【００４８】
なお、アイコン管理情報３０に含まれる他の属性情報、ここではアイコンの利用状況情報は、アイコンの利用の都度更新される。例えば表示部２にアイコンがメニューとして表示された後、あるアイコンをマウスで選択しクリックすることによりそのアイコンが利用されたことになり、このアイコンに対応する機能が実行される。
【００４９】
アイコン利用状況監視部１３は、アイコンの利用の状況を監視し、アイコンの利用情報を取得して記憶部３に記憶されているアイコン管理情報３０を適宜更新する。
【００５０】
次に、実施形態２に係る端末装置１のアイコン表示の動作について図８に従って説明する。図８はアイコンの表示方法Ｂをフロー図で示したものである。端末装置１はアイコンの表示処理を開始し、読出部１０は、記憶部３からアイコン管理情報３０、表示態様情報３１及び第２の表示態様情報３２を読み出して取得する（ステップＳ１０）。
【００５１】
表示制御部１２は、図５のステップＳ２と同じ処理を行い、対象アイコンを指定し、指定した対象アイコンの情報を表示態様決定部１１に通知する（ステップＳ１１）。なお、対象アイコンは、表示制御部１２で指定するのではなく、実施形態１で述べたように、表示態様決定部１１で指定しても良い。
【００５２】
表示態様決定部１１は、指定された対象アイコンに対して、図５のステップＳ３と同じ処理を行い動的表示態様を決定する（ステップＳ１２）。
【００５３】
次に、表示態様決定部１１は、読み出されたアイコン管理情報３０から他の属性情報を取得し、第２の表示態様情報３２と、取得した他の属性情報とに基づき、対象アイコンの第２の動的表示態様を決定する（ステップＳ１３）。
【００５４】
表示制御部１２は、対象アイコンを、決定された動的表示態様で表示部２に表示する制御を行った後、決定された第２の動的表示態様で表示部２に表示する制御を行う（ステップＳ１４）。
【００５５】
表示制御部１２は対象アイコンの全ての表示の制御が完了したかどうかを判定し（ステップ１５）、完了していれば（ステップ１５；ＹＥＳ）このアイコン表示処理を終了し、完了していなければ（ステップ１５；ＮＯ）ステップＳ１１に戻る。
【００５６】
図２（ｃ）と図７（ｂ）は実施形態２の他の例に係るアイコン管理情報３０と第２の表示態様情報３２である。アイコン管理情報３０は他の属性情報としてアイコンの利用状況情報（Ｆｒａ、Ｆｒｂ、Ｆｒｃ等）とアイコンに対応づけられた機能（アプリケーションやコンテンツなど）を端末装置１がダウンロードなどで取得した時期を取得時期（Ｔａ、Ｔｂ、Ｔｃ等）として含む。これに対して第２の表示態様情報３２は、他の属性情報に関する基準として利用状況情報をＦｒ、取得時期から動的表示態様決定の時点までの時間をΔＴとして総称したとき、Ｆｒが０のとき、すなわち例えばこれまで全く使用されていないとき、Ｆｒが所定の閾値より大きいとき、そしてΔＴが所定の期間に関する閾値Ｔｈｔよりも小さいときを他の属性情報に関する基準とし、いずれの場合も第２の動的表示態様を区別なくＤｓ０とする。Ｄｓ０の具体例としてはアイコンを振動させるということで、該当する対象アイコンを所定の動的表示態様で表示したのち第２の動的表示態様として振動させて表示する。
【００５７】
なお、表示態様決定部１１は、第２の動的表示態様を決定する際に、対象アイコンの機能の種別を考慮して、特定の機能の種別であって、他の属性情報に関する基準に該当する場合に対象アイコンの第２の動的表示態様を決定するとしてもよい。例えば、機能の種別が新着情報の通知に対応する対象アイコンの場合で、且つ利用状況関連情報が０に対応する場合に、第２の動的表示態様を決定する。このときは未閲覧の新着情報を通知するアイコンをユーザは容易に判別できるので新着情報の見逃しのリスクが低減する。
【００５８】
対象アイコンをこのように第２の動的表示態様で表示させる制御を行うことにより、実施形態１で説明した効果に加えて、ユーザはその対象アイコンの利用状況の情報も直感的に容易に判別することができる。そのため、ユーザは、操作対象としたいアイコンを、利用状況や取得時期からの経過時間等のアイコンの他の属性情報を考慮して容易に選択することができるようになり、スムーズなアイコン操作を行うことができる。
【００５９】
更に変形例として第２の表示態様情報３２に第２の動的表示態様と関連付けて第２の音声態様を含めても良い。その具体例を図７（ｃ）（ｄ）に示す。図７（ｃ）（ｄ）はそれぞれ図７（ａ）（ｂ）の他の属性情報に関する基準と関連付けた第２の音声態様を含む。このときは例えばアイコンが振動しているとき、その振動に合わせて振動音を出すことができる。
【００６０】
第２の音声態様を含めた場合は、ユーザは視覚情報とともに聴覚情報を含めてアイコンの他の属性情報を直感的に容易に判別することができ、操作対象としたいアイコンをより容易に選択することができるようになり、スムーズなアイコン操作を行うことができる。
【００６１】
（実施形態３）
図９に本発明の実施形態３に係る端末装置１の構成例を示す。図９において図１と構成の異なる点は、端末装置１に、通信部1４と、状況監視部１５と、アイコン生成部１６とを追加したことである。以下ではこの構成上の相違点を中心に他の相違点を含めて説明する。図１と同じ番号を付した構成要素は以下で特に説明しない場合は実施形態１での説明と同じ内容・機能を有する。
【００６２】
通信部１４は外部との通信を行い、各種の情報（アプリケーション、コンテンツ、各種通知やメールなどの情報）を受信する。通信は、無線、有線のいずれであっても良い。  
【００６３】
状況監視部１５は、通信部１４からの新規の情報の受信の有無を監視し、新規の情報の受信がある場合は、その旨をアイコン生成部１６に通知する。
【００６４】
アイコン生成部１６は、状況監視部１５からの通知により、取得された新規の情報に係る機能の種別を判定し、新規アイコンを生成するとともに生成した新規アイコンを表示制御部１２に送信する。また、生成した新規アイコンとこれに対応付けられた機能と判定された機能の種別とをアイコン関連付け情報として生成し、生成したアイコン関連付け情報を記憶部３のアイコン管理情報３０に追加することによりアイコン管理情報３０を更新してもよい。
【００６５】
表示制御部１２は、新規アイコンを受信し、生成した新規アイコンと新規アイコンである旨の通知を表示態様決定部１１に送信する。
【００６６】
表示態様情報３１は、対象アイコンが新規アイコンである場合の動的表示態様を含む。図３（ｂ）にその例を示す。この例では機能の種別の欄に新規アイコンを示す”ＮＥＷ”を設け、これに対応する動的表示態様ＤＳnewを関連付けている。この場合の動的表示態様としては例えば対象アイコンを振動させるような態様が考えられる。
【００６７】
表示態様決定部１１は、表示制御部１２から受信した新規アイコンである旨の通知と、読出部１０が記憶部３から読み出した表示態様情報３１に含まれる新規アイコンに関連付けられた動的表示態様とに基づき受信した新規アイコンに対する動的表示態様を決定する。
【００６８】
次に、実施形態３に係る端末装置１のアイコン表示の動作について図１０に従って説明する。図１０はアイコン表示方法Ｃをフロー図で示したものである。
【００６９】
状況監視部１５は、通信部１４からの新規の情報の受信の有無を監視し（ステップＳ２０）、新規の情報の受信がない場合は（ステップＳ２０；ＮＯ）、端末装置１は、実施形態１の図５に示すアイコン表示方法Ａに従ってアイコンの表示処理を実行する。新規の情報の受信がある場合は（ステップＳ２０；ＹＥＳ）、状況監視部１５は新規の情報を取得した旨、アイコン生成部１６に通知する（ステップＳ２１）。
【００７０】
アイコン生成部１６は、状況監視部１５から受信した通知により、通信部１４で取得した新規の情報に係る機能の種別を判定し、新規の情報に対応した新規アイコンを生成し、生成した新規アイコンを表示制御部１２に送信する（ステップＳ２２）。更に、新規アイコンとこれに対応付けられた機能とその機能の種別とをアイコン関連付け情報として生成し、生成したアイコン関連付け情報を記憶部３のアイコン管理情報３０に追加することによりアイコン管理情報３０を更新する（ステップＳ２３）。
【００７１】
表示制御部１２は、アイコン生成部１６から新規アイコンを受信し、対象アイコンが新規アイコンであるという通知を表示態様決定部１１に送信する（ステップＳ２４）。
【００７２】
読出部１０は、記憶部３から表示態様情報３１を読み出し（ステップＳ２５）、表示態様決定部１１は、表示制御部１２から受信した、新規アイコンであるという通知から、表示態様情報３１に含まれる新規アイコンに関連付けられた動的表示態様に基づき、対象アイコンに対する動的表示態様を決定する（ステップＳ２６）。
【００７３】
表示制御部１２は決定された動的表示態様に基づき表示部２に新規アイコンを表示する制御を行う。これにより表示部２に新規アイコンが動的態様で表示される（ステップＳ２７）。その後、ステップＳ２０に戻り他に新規の情報の受信がないかどうかを確認する。無ければ（ステップＳ２０；ＮＯ）、実施形態１で説明した図５に示すアイコン表示方法Ａを実行する。このアイコン表示方法Ａを実施形態２の図８に示すアイコン表示方法Ｂにしてもよい。
【００７４】
なお、図１０に示す処理の中で、ステップＳ２３の処理、すなわちアイコン関連付け情報の生成とアイコン管理情報３０の更新とは、ステップＳ２２からＳ２７の間、又はステップＳ２７の後の範囲のいかなるタイミングで実行されても良い。
【００７５】
実施形態３に係る発明によれば、アイコンは、実施形態１又は２に従って動的表示態様で表示されるように制御されると共に、そのアイコンが新規アイコンである場合に、すなわち新着の機能に対応付けられたアイコンである場合に、これに対応した動的表示態様で表示部２の画面２０上に表示されるように制御されるので、ユーザは表示部２に表示されたアイコンが新規のアイコンであることを直感的に容易に判別することができる。そのため、ユーザは、操作対象としたいアイコンを容易に選択することができるようになり、スムーズなアイコン操作を行うことができる。
【００７６】
（実施形態４）
実施形態４に係る端末装置１の構成は、実施形態３に係る構成、すなわち図９に示す構成と同じであるが、一部構成要素の機能が異なる。
【００７７】
状況監視部１５は、更に、新規の情報の取得の進捗状況を監視し、所定のタイミング毎に取得の進捗状況の情報を取得し、取得を開始した旨及び取得の進捗状況の情報をアイコン生成部１６に送信する。取得の進捗状況の情報は、状況監視部１５により、受信する新規の情報のヘッダ部に記載された情報の容量と取得中の新規の情報のそれまでに取得された情報の容量の積算値に基づき算定される。
【００７８】
アイコン生成部１６は、実施形態３の機能に加えて、受信した取得の進捗状況の情報をも表示制御部１２に送信する。
【００７９】
表示態様情報３１は基本的には実施形態３の場合と同じであるが、新規アイコンに関連付けられた動的表示態様が取得の進捗状況の情報を反映できるものになっている。
【００８０】
表示制御部１２は、受信した新規アイコンを対象アイコンとして指定し、対象アイコンが新規アイコンであるという通知を表示態様決定部１１に送信する。
【００８１】
表示態様決定部１１は、実施形態３と同様に新規アイコンの動的表示態様を決定する。
【００８２】
表示制御部１２は表示態様決定部１１で決定された動的表示態様と、アイコン生成部１６を介して受信した取得の進捗状況の情報と、に従って新規アイコンを表示部２に表示する。
【００８３】
これにより新規アイコンは新規の情報の取得の進捗状況を示す動的表示態様で表示部２に表示される。
【００８４】
実施形態４に係る端末装置１のアイコン表示の動作について図１１に従って説明する。図１１はアイコン表示方法Ｄをフロー図で示したものである。図１１のステップＳ３０は実施形態３の図１０に示すステップＳ２０と同じ処理内容である。新規の情報の取得がない場合は（ステップＳ３０；ＮＯ）、実施形態１又は２で説明したアイコン表示方法Ａ又はＢでの処理を行う。新規の情報の取得がある場合は（ステップＳ３０；ＹＥＳ）、状況監視部１５は、新規の情報の取得を開始した旨の通知をアイコン生成部１６に送信する（ステップＳ３１）。なお、このとき読出部１０は表示態様情報３１を記憶部３から読み出しておく（ステップＳ３２）。
【００８５】
アイコン生成部１６は、図１０のステップＳ２２と同様に、通信部１４で取得した新規の情報に基づき、新規アイコンを生成し、表示制御部１２に送信する（ステップＳ３３）。
【００８６】
表示制御部１２は、受信した新規アイコンを対象アイコンとして指定し、新規アイコンである旨の通知を表示態様決定部１１に送信する。表示態様決定部１１は、新規アイコンである旨の通知を受信すると、表示態様情報３１に基づき、新規アイコンに対する動的表示態様を決定する（ステップＳ３４）。
【００８７】
状況監視部１５は、この間、所定のタイミング毎に新規の情報の取得の進捗状況を算定し取得の進捗状況の情報として取得し、アイコン生成部１６に送信する。アイコン生成部１６は、取得の進捗状況の情報を受信して、表示制御部１２に送信する（ステップＳ３５）。
【００８８】
表示制御部１２は、受信した取得の進捗状況の情報と、決定された動的表示態様とに基づき、新規アイコンを表示部２に表示する制御を行う。これにより新規アイコンが取得の進捗状況の情報を反映した動的表示態様で表示部２に表示される（ステップＳ３６）。
【００８９】
表示制御部１２は、取得の進捗状況の情報により、新規の情報の取得が完了したかどうかを判別する（ステップＳ３７）。新規の情報の取得が完了していないときは（ステップＳ３７；ＮＯ）ステップＳ３５に戻り、処理を継続する。
【００９０】
表示制御部１２は、新規の情報の取得が完了したときは（ステップＳ３７；ＹＥＳ）ステップＳ３０に戻る。なお、アイコン生成部１６は、取得の進捗状況の情報に基づき、取得の完了を判断し、新規アイコンに対するアイコン関連付け情報を生成し、生成したアイコン関連付けを追加することにより記憶部３に記憶されているアイコン管理情報３０を更新する（図示を省略）。
【００９１】
実施形態４に係る発明によれば、アイコンは、実施形態１又は２に従って動的表示態様で表示されるように制御されると共に、そのアイコンが新規アイコンである場合に、すなわち新着の機能に対応付けられたアイコンである場合に、新着の情報の取得の進捗状況に応じた動的表示態様で表示部２の画面２０上に表示されるように制御されるので、ユーザは表示部２に表示されたアイコンが新規のアイコンであることを直感的に容易に判別することができるとともに、その取得の進捗状況も把握することが容易となる。そのため、ユーザは、操作対象としたいアイコンを容易に選択することができるようになり、スムーズなアイコン操作を行うことができる。
【００９２】
（実施形態５）
図１２に本発明の実施形態５に係る端末装置１の構成例を示す。図１２は、図９に対して、入力部１７を備え、更に、これまで図示を省略していた制御部１８を備えることを明示し、必ずしもアイコン生成部１６を備える必要がないためこれを削除した点が異なる。記憶部３は更に第３の表示態様情報３３を記憶している点も図９と異なる。図９と同じ番号を付した構成要素は以下で特に説明しない場合は実施形態４での説明と同じ内容・機能を有する。
【００９３】
入力部１７は、キーボードやマウスなどで構成され、ユーザからの指示又は情報を端末装置１に入力する。実施形態５ではマウス又はこれと同様の機能を有する入力装置により、対象アイコンを選択し、対応する機能に対して新規の情報を通信部１４を介して受信する又は対応する情報の少なくとも一部を削除する指示が入力される。
【００９４】
制御部１８は、入力部１７からの入力に対応して、選択されたアイコンに対応する機能について、通信部１４を介して新規の情報の取得、又は情報の削除を実行する。
【００９５】
状況監視部１５は、入力部１７で選択された対象アイコンに対応する新規の情報の取得、又は情報の削除の進捗状況を監視し、いずれの場合も進捗状況を表示制御部１２に送信する。
【００９６】
第３の表示態様情報３３は、進捗状況の情報を反映できる動的表示態様である第３の動的表示態様が規定されている。なお、この動的表示態様を図３に示す動的表示態様と同様に機能の種別毎に規定しても良いし、音声態様と関連付けて構成してもよい。
【００９７】
実施形態５に係る端末装置１のアイコン表示の動作について図１３に従って説明する。図１３はアイコン表示方法Ｅをフロー図で示したもので、既に動的表示態様で対象アイコンが表示部２に表示されている状態を前提とした処理を示す。図１３のフロー図は新規の情報の取得の際の対象アイコンの表示処理について示すが、削除の場合は図１３の「取得」を「削除」置き替えればよい。
【００９８】
アイコンメニューが表示された状態で、ユーザは入力部１７を介して、あるアイコンを対象アイコンとして選択し、この対象アイコンに対応付けた機能に対して新規の情報の取得（ダウンロード）を指示する（ステップＳ４０）。これは例えばマウスを使って特定の対象アイコンを選択し、長押しすると項目メニューが表示されるようにし、この項目メニューからダウンロードを選択することにより実行することができる。なお、情報の削除の場合は同じく項目メニューの中から削除を選択することにより実行できる。
【００９９】
読出部１０は、記憶部３からアイコン管理情報３０と表示態様情報３１とを読み出す。（ステップＳ４１）
【０１００】
表示態様決定部１１は、新規の情報の取得の指示の入力を受け、読み出されたアイコン管理情報３０と第３の表示態様情報３３とに基づき、その対象アイコンの第３の動的表示態様を決定する（ステップＳ４２）。
【０１０１】
一方、制御部１８は、新規の情報の取得の指示の入力を受け、通信部１４を介して新規の情報の取得を開始する。このとき、状況監視部１５は新規の情報取得状況に対応して取得の進捗状況の情報を取得し、予め設定されたタイミング毎に取得の進捗状況の情報を表示制御部１２に送信する（ステップＳ４３）。取得された新規の情報は、記憶部３の所定の領域に記憶されるが、詳細についてはここでは説明を省略する。取得の進捗状況の情報については実施形態４での説明と同じである。なお、情報の削除の場合の進捗状況の情報は、予め設定されたタイミング毎のそれまでに削除された情報の容量の、その全体容量に対する割合である。
【０１０２】
表示制御部１２は、決定された第３の動的表示態様に従って、進捗状況の情報を反映した形で対象アイコンを表示部２に表示する制御を行う（ステップＳ４４）。
【０１０３】
表示制御部１２は、進捗状況の情報から、新規の情報の取得が完了したかどうかを判定し（ステップＳ４５）、完了していれば、すなわち進捗状況の情報が１００％になれば（ステップＳ４５；ＹＥＳ）このアイコンの表示処理を完了する。完了していなければ（ステップＳ４５；ＮＯ）ステップＳ４２に戻る。
【０１０４】
実施形態５に係る発明によれば、アイコンは、新着の情報の取得又は情報の削除の進捗状況に応じた第３の動的表示態様で表示部２の画面２０上に表示されるように制御されるので、ユーザは表示部２に表示されたアイコンに対応付けられた機能に関する新規の情報の取得の進捗状況又は情報の削除の進捗状況を直感的に把握することが容易となる。そのため、ユーザは、関連する情報の取得・削除の状況を認識して操作対象としたいアイコンを容易に選択することができるようになり、スムーズなアイコン操作を行うことができる。
【０１０５】
（実施形態６）
図１４に本発明の実施形態６に係る端末装置１の構成例を示す。図１４において図１の構成の異なる点は、端末装置１の機能構成要素としての表示位置決定部１９を追加したことである。以下ではこの構成上の相違点を中心に他の相違点を含めて説明する。図１と同じ番号を付した構成要素は以下で特に説明しない場合は実施形態１での説明と同じ内容・機能を有する。
【０１０６】
表示位置決定部１９は、表示部２の画面２０上のどの位置に対象アイコンを表示するかを決定する。通常、対象アイコンは複数あるので、これらをどの様に配置して表示するかを決定する。この表示位置はアイコンの規定の表示サイズと、表示対象となるアイコンの個数と、アイコン管理情報３０の属性情報に基づき予め定めたルールに従って決定する。アイコンの個数と表示サイズから１画面に表示可能なアイコンの個数と位置が算定され、算定された位置にどのアイコンを表示するかは、アイコン管理情報３０の属性情報に基づき決定する。例えば新規情報の通知のアイコンを初めの表示位置に決定したり、利用頻度高い順に配置する表示位置決定を行う。なお、表示対象となる対象アイコンはメインメニュー表示の場合はアイコン管理情報３０に含まれる全てのアイコンとなるが、別途表示対象となるアイコンのリストを備え、それを読み出して対象アイコンとしてもよい。後述する簡単メニューは後者の例である。
【０１０７】
実施形態６に係る端末装置１のアイコン表示の動作について図１５に従って説明する。図１５はアイコン表示方法Ｆをフロー図で示したものである。
【０１０８】
端末装置１はアイコンの表示処理を開始し、読出部１０は、アイコン管理情報３０と表示態様情報３１とを記憶部３から読み出す（ステップＳ５０）。
【０１０９】
表示制御部１２は所定の表示対象となるアイコン全てを対象アイコンとして指定し、表示位置決定部１９と表示態様決定部１１に送信する（ステップＳ５１）。
【０１１０】
表示位置決定部１９は対象アイコンの情報とアイコン管理情報３０とに基づき各対象アイコンの表示位置を決定する（ステップＳ５２）。
【０１１１】
次に、表示態様決定部１１は、アイコン管理情報３０と表示態様情報３１とに基づき、各対象アイコンについて動的表示態様を決定する（ステップＳ５３）。
【０１１２】
表示制御部１２は、対象アイコンを決定された表示位置と動的表示態様に従って表示部２の画面２０上に表示する制御を行う。これにより表示部２に対象アイコンが決定された表示位置に、決定された動的表示態様で表示される（ステップＳ５４）。
【０１１３】
表示制御部１２は対象アイコンの全ての表示が完了したかどうかを判定し（ステップＳ５５）、完了していれば（ステップＳ５５；ＹＥＳ）アイコンの表示処理を終了し、完了していなければ（ステップＳ５５；ＮＯ）ステップＳ４２の処理に戻る。
【０１１４】
実施形態６に係る発明によれば、アイコンは、そのアイコンの属性情報に応じて表示位置と動的表示態様が決定され表示部２の画面２０上に表示されるように制御されるので、ユーザは表示部２に表示されたアイコンの属性情報を動的表示態様に加えて表示位置によっても直感的に容易に判別することができる。そのため、ユーザは、操作対象としたいアイコンをより容易に選択することができるようになり、スムーズなアイコン操作を行うことができる。
【０１１５】
実施形態６の変形例として、表示位置決定部１９は、アイコン管理情報３０の属性情報に基づき表示の位置と共に表示の順番を決定してもよい。これによりユーザはアイコンの属性情報を表示の順番によっても直感的に容易に判別することができる。そのため、ユーザは、操作対象としたいアイコンをより容易に選択することができるようになり、スムーズなアイコン操作を行うことができる。
【０１１６】
（実施形態７）
図１６に本発明の実施形態７に係る端末装置１の構成例を示す。図１６において図１４と構成の異なる点は、入力部１７を追加し、記憶部３が簡単メニュー情報３４を記憶していることである。以下ではこの構成上の相違点を中心に他の相違点を含めて説明する。図１４と同じ番号を付した構成要素は以下で特に説明しない場合は実施形態６での説明と同じ内容・機能を有する。
【０１１７】
記憶部３に記憶されている簡単メニュー情報３４は、アイコン管理情報３０に含まれるアイコンの中の一部を抜き出してまとめたものである。通常は、良く使用される又はその可能性が高いと考えられる機能を対応付けたアイコンをアイコンメニューとしてリストアップしたものである。
【０１１８】
これに対してメインメニューとはアイコン管理情報３０に含まれる全てのアイコンをアイコンメニューとしたものである。メインメニューに含まれるアイコンは通常数が多いため表示部２の一画面には表示しきれない場合が多い。そのためメインメニューを表示するときは、通常、対象アイコン総数を複数のグループに分けて、画面のページ毎にグループ毎のアイコンを表示する。
【０１１９】
図１７にアイコンメニューの表示例を示す。図１７（ａ）では、表示部２の画面２０には１ページ分のメインメニュー２１の表示例が示され、図１７（ｂ）では、表示部２の画面２０には簡単メニュー２２の表示例が示されている。いずれも画面２０を横倒しした図としてそれぞれの表示例を示す。図１７（ａ）ではメインメニュー２１の中に配置されている矩形ＡからＴで各対象アイコンを示している。図１７（ｂ）では簡単メニュー２２の中に配置されている矩形で各対象アイコンを示すが、ここではアイコンの機能を説明した用語を付すと共に、図１７（ａ）に表示された各アイコンとの対応関係を示すために括弧中にＡ、Ｃ等と記載してある。
【０１２０】
入力部１７の一般的な説明は実施形態５で示したとおりであるが、実施形態７では、簡単メニュー２２が表示されているとき、ユーザは、入力部１７を介して、この簡単メニュー２２を縮小し縮小簡単メニュー２３として表示する指示（縮小表示指示）を入力する。また、縮小簡単メニュー２３が表示されているとき、縮小簡単メニュー２３を元の簡単メニュー２２に戻すための縮小表示解除指示を入力する。この入力用のハードウェアとしてはキーボード、マウス等が考えられる。マウスを使用する場合、縮小表示指示又は縮小表示解除指示は、例えば画面２０上でのカーソルのそれぞれに対応する所定の動きにより表示制御部１２に入力される。
【０１２１】
表示制御部１２は、簡単メニュー２２が表示されているとき、縮小表示指示が入力されると、表示されている簡単メニュー２２を縮小し、縮小簡単メニュー２３として表示部２の画面２０の一部領域に表示する制御を行うとともに、画面２０の縮小簡単メニュー２３が表示されていない領域にメインメニュー２１を表示する制御を行う。また、縮小簡単メニュー２３が表示されているとき、縮小表示解除指示が入力されると、表示されている縮小簡単メニュー２３を元の簡単メニュー２２に戻して表示し、メインメニュー２１を消去若しくは画面２０上で見えなくする制御を行う。
【０１２２】
より具体的には、表示制御部１２は、簡単メニューに含まれるアイコンを表示の対象アイコンとして、その情報を表示位置決定部１９に送信する。表示位置決定部１９は実施形態６で説明したように対象アイコンの表示位置を決定する。表示の際の動的表示態様を別にすれば表示制御部１２は決定された表示位置に基づき簡単メニュー表示の制御を行うことができる。また、縮小表示指示の入力により、アイコンを所定のルールで例えば棒状化して縮小したアイコンに対して、所定の領域に限定して表示するための表示位置を決定する。また、このとき併せて表示制御部１２からの指示により、メインメニュー２１に含まれるアイコン、すなわちアイコン管理情報３０に含まれるアイコン全ての表示位置を画面２０の各ページ対応で決定する。
【０１２３】
表示態様決定部１１における動的表示態様の決定は実施形態１以降の各実施形態で説明したとおりである。
【０１２４】
図１８に簡単メニュー表示と縮小簡単メニュー表示の例を示す。図１８（ａ）は簡単メニュー表示の際に縮小表示指示があったときの例、図１８（ｂ）は縮小簡単メニュー表示の際に縮小表示解除指示があったときの例である。
【０１２５】
図１８（ａ）の左側の画面２０には簡単メニュー２２が表示されている。簡単メニュー２２の中の矩形ａからｈはそれぞれ簡単メニュー情報３４に含まれるアイコンである。この状態で入力部１７から縮小表示指示が入力されたとき、簡単メニュー２２は図１８（ａ）の右側の画面２０の下方の一部領域に縮小簡単メニュー２３として縮小表示される。この指示は図では一例として下方の矢印２４で示す。すなわち、例えば簡単メニュー２２の表示されている領域のいずれかのアイコン又はアイコンがない領域をマウスで選択し、選択した状態でマウスを下方に移動させる。これにより縮小表示指示が入力される。このとき簡単メニュー２２に含まれるアイコンａからｈは例えば棒状に縮小表示される。このようなアイコンの縮小表示により縮小簡単メニュー２３の表示サイズが縮小される。更に、画面２０の、縮小簡単メニュー２３の表示されていない領域にはメインメニュー２１が表示される。なお、このようなアイコンの縮小化は棒状に限定されない。どの様な形状の縮小であってもかまわない。
【０１２６】
図１８（ｂ）は逆のケースを示す。左側の画面２０には縮小表示指示の結果、縮小簡単メニュー２３とメインメニュー２１とが表示されている。このとき例えばマウスで縮小簡単メニュー２３の領域又は縮小されたアイコンを選択し、選択した状態でマウスを情報に移動させる（図の矢印２５）。これにより縮小表示解除指示が入力される。縮小簡単メニュー２３は元の簡単メニュー２２に戻り、メインメニュー２１は画面２０上から消える。
【０１２７】
実施形態７に係る端末装置１のアイコン表示の動作について図１９に従って説明する。図１９はアイコン表示方法Ｇをフロー図で示したものである。ここでは表示部２には簡単メニュー２２が表示されているとする。
【０１２８】
表示制御部１２は入力部１７から縮小表示指示が入力されたかどうかを判定し（ステップＳ６０）、入力されなければ（ステップＳ６０；ＮＯ）、入力があるまで簡単メニュー２２が表示されたままとなる。
【０１２９】
縮小表示指示の入力があれば（ステップＳ６０；ＹＥＳ）、表示制御部１２はその旨を表示位置決定部１９に通知する。この通知を受けて、表示位置決定部１９は予め設定された縮小されたアイコンを使って簡単メニュー情報３４に含まれるアイコンの表示位置を決定する。これにより縮小簡単メニュー２３の表示位置が決定されたことになる（ステップＳ６１）。
【０１３０】
更に、表示位置決定部１９は、アイコン管理情報３０に含まれるアイコン全てを対象として画面２０のページ毎に対象アイコンの表示位置を決定する。これによメインメニュー２１の表示位置が決定されたことになる（ステップＳ６２）。
【０１３１】
表示態様決定部１１は、アイコン管理情報３０に含まれるアイコン全てを対象としてその動的表示態様を決定する（ステップＳ６３）。ただし、この処理は省いても良い。
【０１３２】
表示制御部１２は、表示部２に表示されている簡単メニュー２２を消去し、決定された表示位置に従って縮小簡単メニュー２３の各縮小されたアイコンを表示部２に表示する制御を行う。これにより、表示部２には縮小簡単メニュー２３が表示される（ステップＳ６４）。
【０１３３】
また、表示制御部１２は、決定された表示位置、動的表示態様に従ってメインメニュー２１の各対象アイコンを表示部２に表示する制御を行う。これにより、表示部２には縮小簡単メニュー２３と共に、縮小簡単メニュー２３が表示されていない画面２０上の領域にメインメニュー２１が表示される（ステップＳ６５）。ステップＳ６３の処理を省いた場合はメインメニュー２１に対しての動的表示態様による表示は行われない。
【０１３４】
この状態で、表示制御部１２は、縮小表示解除指示の有無を監視し判定する（ステップＳ６６）。縮小表示解除指示が無ければ（ステップＳ６６；ＮＯ）あるまでこの表示状態で待つことになる。
【０１３５】
縮小表示解除指示があれば（ステップＳ６６；ＹＥＳ）表示制御部１２は表示位置決定部１９にその旨通知し、表示位置決定部１９は簡単メニュー情報３４に基づき、簡単メニュー２２に含まれるアイコンの表示位置を決定する。これにより簡単メニュー２２の表示位置が決定されたことになる（ステップＳ６７）。
【０１３６】
次に、表示制御部１２は簡単メニュー２２に含まれる各対象アイコンについてその動的表示態様を決定するように表示態様決定部１１に指示する。これを受けて表示態様決定部１１は簡単メニュー２２に含まれる各対象アイコンについてその動的表示態様を決定し、表示制御部１２に送信する（ステップＳ６８）。
【０１３７】
表示制御部１２は、簡単メニュー２２に含まれる各対象アイコンを、決定された表示位置、動的表示態様に従って表示部２に表示する制御を行う。これにより表示部２に簡単メニュー２２に含まれる対象アイコンが決定された表示位置に、決定された動的表示態様で表示される（ステップＳ６９）。
【０１３８】
簡単メニュー２２は例えば端末装置１の起動時やロック解除後のアイコンメニューとして利用されることが多いが、本実施形態６に依れば、簡単メニュー２２を構成するアイコンを動的表示態様で表示する制御を行うことにより、ユーザは表示部２に表示されたアイコンの機能の種別などの属性情報を直感的に容易に判別することができる。そのため、ユーザは、操作対象としたいアイコンをより容易に選択することができるようになり、スムーズなアイコン操作を行うことができる。
【０１３９】
更に、簡単メニュー２２を表示しているときこれと並行してメインメニュー２１を表示する制御を行うので、操作対象としたいアイコンが簡単メニュー２２に含まれていない場合にも、ユーザはより容易にアイコンを選択することができる。更にメインメニュー２１を動的表示態様で表示した場合は、ユーザは、メインメニュー２１においても表示部２に表示されたアイコンの機能の種別などの属性情報を直感的に容易に判別することができる。そのため、ユーザは、操作対象としたいアイコンをより容易に選択することができるようになり、スムーズなアイコン操作を行うことができる。
【０１４０】
図１６では、入力部１７からの入力は直接表示制御部１２に入力されており、図１２に示す構成と異なる。両実施形態に係る発明を同時に実施する場合は、実施形態７に係る入力部１７からの入力の場合のみ表示制御部１２に直接入力されるようにしても良いし、図１２に示す構成として、実施形態７に係る入力が、制御部１８、状況監視部１５を介して間接的に表示制御部１２に入力されるようにしてもよい。また、制御部１８が表示制御部１２を含む構成にしてもよい。
【０１４１】
なお、本実施形態７における縮小表示指示入力時の表示部２へのアイコンの表示の制御は、必ずしも動的表示態様を伴わなくてもよい。動的表示態様を伴わない表示の場合は、表示態様決定部１１は必要ではなく、表示制御部１２は決定された表示位置に従って表示部２に対象アイコンを表示する制御を行う。
【０１４２】
以上の実施形態に係る端末装置１のハードウェア構成例を図２０に示す。端末装置１はＣＰＵ１００、内部メモリ１１０通信装置１２０、入力装置１３０、及びこれらを接続するバス１４０を含む。また、端末装置１に関連する装置として、外部メモリ１５０、表示装置１６０、及び音声装置１７０がある。外部メモリ１５０は、端末装置１から情報の読み出し、書き込み（記憶）が可能なように接続され、表示装置１６０、音声装置１７０は端末装置１からの制御が可能なように接続されている。接続は有線／無線を問わない。なお、端末装置１は、合わせて、外部メモリ１５０、表示装置１６０、及び音声装置１７０の少なくとも１つを含む構成としてもよい。
【０１４３】
外部メモリ１５０は磁気ディスクや光ディスク等で構成され制御プログラムを含む各種プログラム（アプリケーション）や各種データ（コンテンツ）、アイコン管理情報３０や表示態様情報３１等のアイコンの表示制御に使用するデータ等が格納される。この外部メモリ１５０は実施形態１から６の記憶部３を構成する。なお、外部メモリ１５０は１台で構成される必要はなく、例えば各種プログラムとアイコン管理情報３０や表示態様情報３１等のアイコンの表示制御に使用するデータを異なる外部メモリ１５０に記憶するようにしてもよい。
【０１４４】
内部メモリ１１０はＲＯＭ、ＲＡＭ、キャッシュメモリなどで構成され、ＲＡＭやキャッシュメモリはＣＰＵの処理の際の実行プログラムの一時的な格納やプログラムの実行により生成されるデータの一時的な格納等に利用される。また、ＲＯＭにはデータや小容量のプログラムなどが格納されＣＰＵの利用に供される。
【０１４５】
ＣＰＵ１００は外部メモリ１５０格納されている制御プログラムを内部メモリ１１０に読み出して実行することによりバス１４０に接続されている機器を含めて端末装置１全体の制御を行う。ＣＰＵ１００と内部メモリ１１０とで端末装置１の制御部１８や表示制御部１２を構成する。制御部１８と表示制御部１２とを別々のハードウェアとした場合は、それぞれにＣＰＵ１００が備えられるが、制御部１８が表示制御部１２を含む構成としてもよい。ＣＰＵ１００に依る制御プログラムの実行により、端末装置１の各種機能構成要素の機能が実現される。例えば、表示態様決定部１１、アイコン利用状況監視部１３、状況監視部１５、アイコン生成部１６、表示位置決定部１９等は機能構成要素として実現可能である。
【０１４６】
通信装置１２０は送信装置や受信装置で構成され、外部との通信を行い情報の送受信を行う。端末装置１の通信部１４を構成する。
【０１４７】
入力装置１３０はキーボードやマウスなど、ユーザの操作により指示を含む情報を端末装置１に入力するための装置である。入力装置１３０は端末装置１の入力部１７を構成する。なお、この入力装置１３０は１台又は１種類に限らない。入力の種類に応じて異なる入力装置１３０を使用してもよい。
【０１４８】
表示装置１６０は各種ディスプレイ装置の少なくとも１つで構成され、ユーザに対して各種の情報を可視化して提供する。表示装置１６０は各実施形態の表示部２を構成する。
【０１４９】
音声装置１７０はスピーカなど音声を発生させる装置である。音声装置１７０は各実施形態の音声部（図示を省略）を構成する。
【０１５０】
図２０に示す端末装置１はＣＰＵ１００を備えており、コンピュータと考えても良い。従って、各実施形態で示したアイコン表示方法Ａ〜Ｆはコンピュータプログラムの処理内容と考えてもい。
【０１５１】
上記の実施形態の一部又は全部は、以下の付記のようにも記載されうるが、以下には限られない。
【０１５２】
（付記１）
アイコンを表示部に表示させる表示制御部と、
アプリケーション、コンテンツ及び新着情報の通知機能の少なくともいずれかを含む各種の機能と、前記アイコンの属性情報である前記機能の種別とを前記アイコンと関連付けた情報であるアイコン関連付け情報を、1以上の前記アイコンに対して備えるアイコン管理情報と、前記アイコンに対応付けられた前記各種の機能のいずれかに関連付けられた前記アイコンの、前記表示部での表示の際の前記機能の種別に応じた動きを規定する動的表示態様を前記機能の種別に関連付けた情報である表示態様情報とを記憶する記憶部から、前記アイコン管理情報及び前記表示態様情報を読み出す読出部と、
前記表示部への表示対象となる対象アイコンの動的表示態様を決定する表示態様決定部と、
を備え、
前記表示態様決定部は、前記対象アイコンについて、前記アイコン管理情報と前記表示態様情報とに基づき、その動的表示態様を決定し、
前記表示制御部は、前記決定された動的表示態様に基づき前記対象アイコンを前記表示部に表示する制御を行う、
ことを特徴とする端末装置。
【０１５３】
（付記２）
前記アイコン管理情報は、前記アイコンに関連付けられた該アイコンの他の属性情報を含み、
前記読出部は、前記他の属性情報に関する基準である属性関連基準に関連付けられた第２の動的表示態様の情報を第２の表示態様情報として記憶する記憶部から、前記第２の表示態様情報を読み出し、
前記表示態様決定部は、前記他の属性情報と、前記第２の表示態様情報とに基づき、前記対象アイコンの前記表示部での表示の際の第２の動的表示態様を決定し、
前記表示制御部は、前記動的表示態様による表示の制御の後、前記第２の動的表示態様を前記動的表示態様として前記表示部に前記アイコンを表示する制御を行う、
ことを特徴とする付記１に記載の端末装置。
【０１５４】
（付記３）
前記他の属性情報は、前記アイコンの利用の回数に関する情報である利用状況情報であり、
前記属性関連基準は、前記利用の回数に関する基準である、
ことを特徴とする付記２に記載の端末装置。
【０１５５】
（付記４）
前記他の属性情報は、所定期間内の前記アイコンの利用頻度の情報であり、
前記属性関連基準は、前記利用頻度に関する基準である、
ことを特徴とする付記２に記載の端末装置。
【０１５６】
（付記５）
前記他の属性情報は、前記アイコンの前記端末装置により取得された取得時期の情報であり、
前記属性関連基準は、前記取得時期に関する基準である、
ことを特徴とする付記２に記載の端末装置。
【０１５７】
（付記６）
前記表示部に表示されたアイコンを選択し、選択された該アイコンに対応付けられた機能に関して新規の情報の取得又は情報の削除を指示する入力部と、
前記新規の情報を受信する通信部と、
前記新規の情報の取得の指示がある場合の取得の進捗状況、及び情報の削除の指示がある場合の削除の進捗状況を監視し、所定のタイミングで進捗状況の情報として取得する状況監視部と、を備え、
前記読出部は、前記進捗状況の情報を反映できる第３の動的表示態様の情報を第３の表示態様情報として記憶する記憶部から前記第３の表示態様情報を読み出し、
前記表示態様決定部は、前記取得又は削除の指示があったときは、前記選択されたアイコンに対して、前記第３の表示態様情報に基づき、前記第３の動的表示態様を決定し、
前記表示制御部は、前記所定のタイミングで取得された前記進捗状況の情報を反映して、決定された前記第３の動的表示態様を前記動的表示態様として、前記選択されたアイコンを前記表示部に表示する制御を行う、
ことを特徴とする付記１に記載の端末装置。
【０１５８】
（付記７）
外部との通信を行う通信部と、
前記通信部からの前記新規の情報の取得の有無を監視し、前記新規の情報の取得がある場合に、前記新規の情報の取得を開始した旨を通知する状況監視部と、
前記状況監視部から前記新規の情報の取得を開始した旨の通知を受けて、前記新規の情報に対応する新規アイコンを生成して、該新規アイコンを前記表示制御部に通知するアイコン生成部と、
を更に備え、
前記表示制御部は、生成された前記新規アイコンの通知を受けて、該新規アイコンを前記対象アイコンとして指定し、前記表示態様決定部に通知し、
前記表示態様情報は、前記アイコンが前記新規アイコンである場合の動的表示態様を新規動的表示態様として含み、
前記表示態様決定部は、前記新規アイコンと、前記表示態様情報とに基づき前記新規動的表示態様を前記動的表示態様として決定する、
ことを特徴とする付記１に記載の端末装置。
【０１５９】
（付記８）
前記状況監視部は、更に前記新規の情報の取得の進捗状況を監視し、所定のタイミング毎に取得の進捗状況の情報を取得し、前記表示制御部に通知し、
前記新規動的表示態様は前記取得の進捗状況の情報を反映可能な動的表示態様であり、
前記表示態様決定部は、前記対象アイコンが前記新規アイコンである場合、前記新規動的表示態様を前記動的表示態様として決定し、
前記表示制御部は、決定された前記動的表示態様に従って、前記取得の進捗状況を反映した前記動的表示態様で前記新規アイコンを前記表示部に表示する制御を行う、
ことを特徴とする付記７に記載の端末装置。
【０１６０】
（付記９）  
前記表示態様情報は、前記機能取得状況に関連付けた音声態様を含み、
前記表示態様決定部は、前記取得状況情報に基づき、前記対象アイコンの表示の際の音声態様を決定し、
前記表示制御部は、決定された前記動的表示態様に基づく前記対象アイコンの表示の制御の際に、更に、決定された前記音声態様に基づき、音声部に音声を発生させる制御を行う、
ことを特徴とする付記１乃至８のいずれか１つに記載の端末装置。
【０１６１】
（付記１０）
前記表示部における前記対象アイコンの表示位置を、前記アイコン管理情報に基づき決定する表示位置決定部を備え、
前記表示制御部は、決定された前記表示位置に従って前記対象アイコンを表示する制御を行う、
ことを特徴とする付記１乃至９のいずれか１つに記載の端末装置。
【０１６２】
（付記１１）
前記新規アイコンの表示領域を入力する入力部を備え、
前記表示位置決定部は、前記対象アイコンが前記新規アイコンである場合、前記入力された表示領域を前記表示位置として決定する、
ことを特徴とする付記１０に記載の端末装置。
【０１６３】
（付記１２）
前記表示位置決定部は、更に前記対象アイコンの前記表示部への表示の順番を、前記アイコン管理情報に基づき決定し、
前記表示制御部は、決定された前記表示の順番に従って前記対象アイコンを前記表示部に表示する制御を行う、
ことを特徴とする付記１０又は１１に記載の端末装置。
【０１６４】
（付記１３）
前記表示部に前記対象アイコンを表示して構成されるアイコンメニューのうち、前記アイコン管理情報に含まれる前記アイコンの中の少なくとも１つの特定のアイコンを前記対象アイコンとした簡単メニューを縮小表示する指示及びこれを解除する指示を入力する入力部を備え、
前記読出部は、前記簡単メニューで表示される前記対象アイコンである簡単メニューアイコンを示す情報である簡単メニュー情報を記憶する記憶部から、前記簡単メニュー情報を読み出し、
前記表示位置決定部は、前記表示制御部から、前記簡単メニューアイコンの位置を決定するための指示である簡単メニュー位置決定指示を受けて、前記簡単メニュー情報に基づき、前記簡単メニューアイコンの表示位置を簡単メニュー表示位置として決定し、前記表示制御部から前記簡単メニューを縮小した縮小簡単メニューを表示する際の前記簡単メニューアイコンの表示位置を決定するための指示である縮小簡単メニュー位置決定指示を受けて、前記表示部の画面上の一部領域に、前記簡単メニュー情報に基づき、前記簡単メニューアイコンの表示位置を縮小簡単メニュー表示位置として決定するとともに、前記画面上の前記一部領域を除く領域に、前記アイコン管理情報に基づき、該アイコン管理情報に含まれる前記アイコンを対象アイコンとして、該対象アイコンの表示位置をメインメニュー表示位置として決定し、
前記表示制御部は、予め決められた基準に従い、前記表示位置決定部に簡単メニュー位置決定指示を出すとともに、前記表示態様決定部に、前記対象アイコンとして前記簡単メニュー情報を通知し、決定された前記簡単メニュー表示位置と、前記簡単メニューアイコンについて決定された前記動的表示態様に従って前記対象アイコンを前記表示部に表示する制御を行い、前記入力部から前記縮小表示する指示が入力されたとき、これを受けて前記表示位置決定部に前記縮小簡単メニュー位置決定指示を出すとともに、前記表示態様決定部に、前記アイコン管理情報に含まれるアイコンを対象アイコンとする旨の通知である縮小時対象アイコン通知を行い、これまでの表示に替えて、前記簡単メニューアイコンを、予め設定された縮小アイコンに変えて、決定された前記縮小簡単メニュー表示位置に表示する制御を行うとともに、前記アイコン管理情報に含まれる前記アイコンを、前記対象アイコンとして、決定された前記メインメニュー表示位置に、前記縮小時対象アイコン通知に応じて決定された前記動的表示態様で表示する制御を行い、前記入力部から前記解除する指示が入力されたとき、これまでの表示に替えて、前記簡単メニュー対象アイコンを、決定された前記簡単メニュー表示位置に、決定された前記動的表示態様で表示する制御を行う、
ことを特徴とする付記１０乃至１２のいずれか１つに記載の端末装置。
【０１６５】
（付記１４）
全てのアイコンを対象アイコンとして表示部に表示して構成されるメインメニュー及び該メインメニューに含まれる特定の一部の前記アイコンを対象アイコンとして前記表示部に表示して構成される簡単メニューのそれぞれの態様で前記対象アイコンを表示部に表示させる表示制御部と、
アプリケーション、コンテンツ及び新着情報の通知機能の少なくともいずれかを含む各種の機能と、前記アイコンの属性情報である前記機能の種別とを前記アイコンと関連付けた情報であるアイコン関連付け情報を、1以上の前記アイコンに対して備えるアイコン管理情報、及び前記アイコン管理情報に含まれる前記アイコンのうち一部の前記アイコンを前記簡単メニューの前記対象アイコンとして備える簡単メニュー情報を記憶する記憶部から、前記アイコン管理情報及び前記簡単メニュー情報を読み出す読出部と、  
前記対象アイコンの前記表示部における表示位置を、前記アイコン管理情報及び前記簡単メニュー情報に基づき決定する表示位置決定部と、
前記簡単メニューを縮小表示する指示、及びこれを解除する指示を入力する入力部と、を備え、
前記表示位置決定部は、前記表示制御部から、前記簡単メニューの前記対象アイコンの位置を決定するための指示である簡単メニュー位置決定指示を受けて、前記簡単メニュー情報に基づき、前記対象アイコンの表示位置を簡単メニュー表示位置として決定し、前記表示制御部から前記簡単メニューを縮小した縮小簡単メニューを表示する際の前記簡単メニューの前記対象アイコンの表示位置を決定するための指示である縮小簡単メニュー位置決定指示を受けて、前記表示部の画面上の一部領域に、前記簡単メニュー情報に基づき、前記簡単メニューの前記対象アイコンの表示位置を縮小簡単メニュー表示位置として決定するとともに、前記画面上の前記一部領域を除く領域に、前記アイコン管理情報に基づき、該アイコン管理情報に含まれる前記アイコンを前記メインメニューの前記対象アイコンとし、該対象アイコンの表示位置をメインメニュー表示位置として決定し、
前記表示制御部は、予め決められた基準に従い、前記表示位置決定部に簡単メニュー位置決定指示を出すとともに、前記入力部から前記縮小表示する指示が入力されたとき、これを受けて前記表示位置決定部に前記縮小簡単メニュー位置決定指示を出すとともに、これまでの表示に替えて、前記簡単メニューによる前記対象アイコンを、予め設定された縮小アイコンに変えて、決定された前記縮小簡単メニュー表示位置に表示する制御を行うとともに、前記アイコン管理情報に含まれる前記アイコンを、前記対象アイコンとして、決定された前記メインメニュー表示位置に表示する制御を行い、前記入力部から前記解除する指示が入力されたとき、これまでの表示に替えて、前記簡単メニューの前記対象アイコンを、決定された前記簡単メニュー表示位置に表示する制御を行う、
ことを特徴とする端末装置。
【０１６６】
（付記１５）
アイコンを表示部に表示する端末装置のアイコン表示方法において、
アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、
前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、
読み出した前記アイコン管理情報と前記表示態様情報とに基づき、表示対象となる対象アイコンに対する動的表示態様を決定する表示態様決定ステップと、
決定された前記動的表示態様で前記表示部に前記対象アイコンを表示する制御を行う表示制御ステップと、
を備えることを特徴とする端末装置のアイコン表示方法。
【０１６７】
（付記１６）
アイコンを表示部に表示するコンピュータとしての端末装置に、
アプリケーション、コンテンツ及び新着情報の通知機能の少なくともいずれかを含む各種の機能と、前記アイコンの属性情報である該機能の種別とを前記アイコンと関連付けた情報であるアイコン関連付け情報を、1以上の前記アイコンに対して備えるアイコン管理情報を記憶する記憶部から、前記アイコン管理情報を読み出す管理情報読み出しステップと、
前記アイコンに対応付けられた前記各種の機能のいずれかに関連付けられた前記アイコンの、前記表示部での表示の際の前記機能の種別に応じた動きを規定する動的表示態様についての情報である表示態様情報を記憶する記憶部から、前記表示態様情報を読み出す表示態様情報読み出しステップと、
読み出した前記アイコン管理情報と前記表示態様情報とに基づき、表示対象となる対象アイコンに対する動的表示態様を決定する表示態様決定ステップと、
決定された前記動的表示態様で前記表示部に前記対象アイコンを表示する制御を行う表示制御ステップと、
を実行させることを特徴とする端末装置のアイコン表示プログラム。
【符号の説明】
【０１６８】
１        端末装置
２        表示部
３        記憶部
１０      読出部
１１      表示態様決定部
１２      表示制御部
１３      アイコン利用状況監視部
１４        通信部
１５      状況監視部
１６     アイコン生成部
１７        入力部
１８        制御部
１９     表示位置決定部
２０      画面
２１      メインメニュー
２２      簡単メニュー
２３      縮小簡単メニュー
２４      縮小表示指示の入力
２５      縮小表示解除指示の入力
３０      アイコン管理情報
３１      表示態様情報
３２      第２の表示態様情報
３３      第３の表示態様情報
３４      簡単メニュー情報
１００    ＣＰＵ
１１０    内部メモリ
１２０    通信装置
１３０    入力装置
１４０    バス
１５０    外部メモリ
１６０    表示装置
１７０    音声装置
【図１】
2013182537.tif 000003
【図２】
2013182537.tif 000004
【図３】
2013182537.tif 000005
【図４】
2013182537.tif 000006
【図５】
2013182537.tif 000007
【図６】
2013182537.tif 000008
【図７】
2013182537.tif 000009
【図８】
2013182537.tif 000010
【図９】
2013182537.tif 000011
【図１０】
2013182537.tif 000012
【図１１】
2013182537.tif 000013
【図１２】
2013182537.tif 000014
【図１３】
2013182537.tif 000015
【図１４】
2013182537.tif 000016
【図１５】
2013182537.tif 000017
【図１６】
2013182537.tif 000018
【図１７】
2013182537.tif 000019
【図１８】
2013182537.tif 000020
【図１９】
2013182537.tif 000021
【図２０】
2013182537.tif 000022